(57)【要約】【課題】簡易な構成でレンズフィルタ及びレンズフードの同時装着が可能であり、レンズフードのみを容易に取り外すことができるフィルタアダプタを提供する。【解決手段】移動筒１０の先端部に着脱自在であり、且つ、レンズフード４０の着脱が可能なフィルタアダプタ２０は、移動筒１０の光軸方向と直交する方向でのバヨネット係合により移動筒１０に対して着脱可能とするために内周面に設けられたバヨネット部２３ａ，２３ｂと、光軸方向でのバヨネット係合によりレンズフード４０を着脱可能とするために外周面に設けられたバヨネット凸部２５とを備える。移動筒１０の先端部の外周面には、バヨネット部２３ａ，２３ｂとバヨネット係合するバヨネット受部１２が設けられ、レンズフード４０の内周面にバヨネット凸部２５とバヨネット係合する第１のバヨネット凹部４２及び第２のバヨネット凹部４４が設けられる。【選択図】図１
2016122043.tif 000002
【特許請求の範囲】
【請求項１】
レンズ鏡筒の先端部に着脱自在であり、且つ、前記レンズ鏡筒への撮像画角外からの光を遮るレンズフードの着脱が可能なフィルタアダプタであって、
前記フィルタアダプタは、
前記レンズ鏡筒の光軸方向と直交する方向でのバヨネット係合により前記レンズ鏡筒に対して着脱可能とするために内周面に設けられた第１のバヨネット部と、
前記光軸方向でのバヨネット係合により前記レンズフードを着脱可能とするために外周面に設けられた第２のバヨネット部と、を備えることを特徴とするフィルタアダプタ。
【請求項２】
前記フィルタアダプタの内周面にレンズフィルタを螺合により着脱可能とするねじ部が設けられていることを特徴とする請求項１に記載のフィルタアダプタ。
【請求項３】
前記フィルタアダプタは、
前記フィルタアダプタが前記レンズ鏡筒に取り付けられたときの前記フィルタアダプタの外周面の被写体側に、周方向に略等間隔で設けられた複数の第１のフランジ部と、
前記フィルタアダプタの外周面において前記第１のフランジ部とは前記光軸方向で異なる位置に略全周に亘って設けられた第２のフランジ部と、を有し、
前記第２のバヨネット部は、複数の前記第１のフランジ部の略中央部に設けられ、または、前記第２のフランジ部に略等間隔で複数箇所に設けられていることを特徴とする請求項１又は２に記載のフィルタアダプタ。
【請求項４】
前記レンズフードと前記フィルタアダプタとを前記第２のバヨネット部でバヨネット係合させるための嵌合トルクは、前記フィルタアダプタと前記レンズ鏡筒とを前記第１のバヨネット部でバヨネット係合させるための嵌合トルクよりも小さいことを特徴とする請求項１乃至３のいずれか１項に記載のフィルタアダプタ。
【請求項５】
前記第１のバヨネット部での前記フィルタアダプタの前記レンズ鏡筒に対する着脱方向は、光軸を中心とした回転方向のうちの一方向であり、
前記第２のバヨネット部での前記レンズフードの前記フィルタアダプタに対する着脱方向は、前記光軸を中心とした回転方向の両方向であることを特徴とする請求項１乃至４のいずれか１項に記載のフィルタアダプタ。
【請求項６】
光軸方向に進退する移動筒を有するレンズ鏡筒と、前記レンズ鏡筒の先端部に着脱可能なフィルタアダプタと、前記フィルタアダプタに対して着脱可能なレンズフードと、を備える撮像装置であって、
前記フィルタアダプタは、
前記光軸方向と直交する方向でのバヨネット係合により前記移動筒に対して着脱可能とするために内周面に設けられた第１のバヨネット部と、
前記光軸方向でのバヨネット係合により前記レンズフードを着脱可能とするために外周面に設けられた第２のバヨネット部と、を有し、
前記移動筒の先端部の外周面に前記第１のバヨネット部とバヨネット係合するバヨネット受部が設けられ、
前記レンズフードの内周面に前記第２のバヨネット部とバヨネット係合するバヨネット受部が設けられていることを特徴とする撮像装置。
【発明の詳細な説明】
【技術分野】
【０００１】
本発明は、フィルタアダプタ及び撮像装置に関し、特に、撮像装置のレンズ鏡筒に対して着脱可能に装着され、レンズフィルタとレンズフードの同時装着を可能とするフィルタアダプタに関する。
【背景技術】
【０００２】
撮像装置の一例である一眼レフカメラのレンズ鏡筒には、その先端部の内周面に雌ねじ部を設け、この雌ねじ部にレンズフィルタを螺合により着脱可能としているものがある。
【０００３】
また、レンズ鏡筒に外挿された状態でカメラ本体に対して着脱可能なアダプタリングとして、その先端部にコンバーションレンズの着脱が可能となっているものがある（例えば、特許文献１参照）。特許文献１に記載されたアダプタリングでは、保護筒の内部に内面反射防止用のマスクが光軸方向に移動可能に保持されており、このマスクは、コイルばねにより、レンズ鏡筒の先端部に当接するようにカメラ本体側へ付勢されている。そして、レンズ鏡筒が撮影位置まで繰り出すと、レンズ鏡筒の先端部がマスクに当接し、この状態でレンズ鏡筒がコイルばねの付勢力に抗して光軸方向を被写体側に向けて移動する。
【０００４】
一方、レンズ鏡筒の先端部に各種のレンズフィルタを内蔵するフィルタ枠を介してレンズフードを取り付ける技術が提案されている（例えば、特許文献２参照）。特許文献２に記載されたフィルタ枠は、レンズ鏡筒の先端部の内径側に設けられた雌ねじ部に螺合してレンズ鏡筒の先端部に装着される各種のレンズフィルタを内蔵している。そして、フィルタ枠の外周面の全体又は一部にレンズフード装着用の雄ねじ部を設け、この雄ねじ部にレンズフードの装着用内径部に設けたレンズフード雌ねじ部を螺合させることで、フィルタ枠の外周面にレンズフードを着脱自在としている。
【先行技術文献】
【特許文献】
【０００５】
【特許文献１】特開２００７−２１２９７１号公報
【特許文献２】特許第５５２４３７６号公報
【発明の概要】
【発明が解決しようとする課題】
【０００６】
しかし、ズームレンズ鏡筒では、先端部の内周面に形成した雌ねじ部にレンズフィルタを螺合させる構成において撮影光路を遮断しない最適なフィルタ径を設定すると、先端部の口径だけが大径化してしまい、レンズ鏡筒自体が大型化してしまう。
【０００７】
これに対して、上記特許文献１に記載されたアダプタリングでは、その先端部にコンバーションレンズが取り付けられるため、レンズ鏡筒自体の大型化を回避することができる。しかし、上記特許文献１に記載されたアダプタリングでは、レンズ鏡筒が最も繰り出したＴＥＬＥ状態のレンズ鏡筒の全域に対して保護筒が外挿されるため、アダプタリングをカメラ本体に装着した状態での光軸方向長さが長くなってしまう。このアダプタリングの光軸方向の長さはレンズ鏡筒が沈胴したときでも変わらないため、カメラ本体にアダプタリングを取り付けた状態では、携行性はよいものではない。
【０００８】
また、上記特許文献２に記載されたフィルタ枠は、ネジ部での螺合によりレンズ鏡筒に対して取り付けられ、同様に、レンズフードは、ネジ部での螺合によりフィルタ枠に取り付けられる。このとき、レンズフードには、筒型や円錐形、花弁形等の種々の形状のものがある。そのため、フィルタ枠とレンズフードとをネジ部での螺合により組み付けた場合に、回転位相が一義的に定まらずに、レンズフードが不適切な回転位相状態でフィルタ枠に取り付けられるおそれがある。例えば、花弁形のレンズフードでは、花弁形部をカメラ本体に設けられた撮像素子の短辺及び長辺に対して適切な位置に配置する必要があり、花弁形部が不適切な位置に配置されてしまうと、撮影光路外の光線を適切に遮断することができなくなってしまう。
【０００９】
更に、バヨネット方式のレンズフードでは、レンズフードを逆さにしてフィルタアダプタにバヨネット係合させることが可能であるため、レンズフードを使用しない状態では、嵩張ることなくレンズ鏡筒に取り付けて携行することができる。つまり、バヨネット方式のレンズフードは、携行性に優れる。しかし、ネジ部による螺合式のレンズフードでは、レンズフードを逆さにして取り付けることはできないため、携行性はよいものではない。
【００１０】
本発明は、簡易な構成でレンズフィルタ及びレンズフードの同時装着が可能であり、また、レンズフードのみを容易に取り外すことができるフィルタアダプタを提供することを目的とする。
【課題を解決するための手段】
【００１１】
本発明に係るフィルタアダプタは、レンズ鏡筒の先端部に着脱自在であり、且つ、前記レンズ鏡筒への撮像画角外からの光を遮るレンズフードの着脱が可能なフィルタアダプタであって、前記フィルタアダプタは、前記レンズ鏡筒の光軸方向と直交する方向でのバヨネット係合により前記レンズ鏡筒に対して着脱可能とするために内周面に設けられた第１のバヨネット部と、前記光軸方向でのバヨネット係合により前記レンズフードを着脱可能とするために外周面に設けられた第２のバヨネット部と、を備えることを特徴とする。
【発明の効果】
【００１２】
本発明に係るフィルタアダプタによれば、簡易な構成で、レンズフィルタ及びレンズフードを同時に装着することができ、また、レンズフードのみを容易に取り外すことができる。
【図面の簡単な説明】
【００１３】
【図１】本発明の実施形態に係るフィルタアダプタ及びレンズフードをデジタルカメラのレンズ鏡筒を構成する移動筒に装着した状態を示す斜視図と、フィルタアダプタ及びレンズフード分解斜視図である。
【図２】フィルタアダプタ及びレンズフードの詳細な構造を示す斜視図である。
【図３】移動筒に対してフィルタアダプタをバヨネット係合させる際の組み付け位相と組み付け途中の状態を示す図である。
【図４】移動筒に対するフィルタアダプタのバヨネット係合が完了した状態を示す全体図と部分断面図である。
【図５】フィルタアダプタに対してレンズフードをバヨネット係合させる際の組み付け位相を示す断面図と、矢視Ａ−Ａ断面図である。
【図６】フィルタアダプタに対するレンズフードのバヨネット係合が完了した状態での組み付け位相を示す断面図と、矢視Ｂ−Ｂ断面図である。
【図７】レンズフードの花弁形部がカメラ本体側を向くようにフィルタアダプタに装着された状態を示す斜視図である。
【発明を実施するための形態】
【００１４】
以下、本発明の実施形態について、添付図面を参照して詳細に説明する。本実施形態では、本発明に係るフィルタアダプタとして、コンパクトデジタルカメラ（撮像装置）用のレンズ鏡筒に対して着脱自在なフィルタアダプタを取り上げる。なお、以下の説明では、必要に応じて、レンズ鏡筒の光軸方向をスラスト方向、光軸と直交する方向をラジアル方向と表現する。
【００１５】
図１（ａ）は、本発明の実施形態に係るフィルタアダプタ２０及びレンズフード４０をデジタルカメラ（不図示）のレンズ鏡筒を構成する移動筒１０に装着した状態を示す斜視図である。図１（ｂ）は、図１（ａ）は、移動筒１０に対するフィルタアダプタ２０及びレンズフード４０の分解斜視図である。図２（ａ）は、フィルタアダプタ２０の詳細な構造を示す斜視図である。図２（ｂ）は、レンズフード４０の詳細な構造を示す斜視図である。
【００１６】
フィルタアダプタ２０の内周面にはバヨネット部２３ａ，２３ｂ（第１のバヨネット部）が設けられており、移動筒１０にはバヨネット受部１２が設けられている。レンズ鏡筒の光軸方向と直交する方向でのバヨネット部２３ａ，２３ｂとバヨネット受部１２とのバヨネット係合により、フィルタアダプタ２０は移動筒１０に対して着脱自在となっている。また、フィルタアダプタ２０の外周面には、バヨネット凸部２５（第２のバヨネット部）が設けられており、レンズフード４０にはバヨネット受部である第１のバヨネット凹部４２及び第２のバヨネット凹部４４が設けられている。レンズ鏡筒の光軸方向でのバヨネット凸部２５と第１のバヨネット凹部４２及び第２のバヨネット凹部４４とのバヨネット係合により、レンズフード４０はフィルタアダプタ２０に対して着脱自在となっている。以下、このような構成について、詳細に説明する。
【００１７】
本実施形態では、デジタルカメラ（不図示）のレンズ鏡筒（全体構成は不図示）は、ズーム式レンズ鏡筒であるとし、レンズ鏡筒は、駆動に伴って光軸方向に進退する移動筒１０を備える。レンズ鏡筒は、カメラ本体（不図示）の電源スイッチ（不図示）をオン操作することで、収納位置からワイド位置に繰り出し、カメラ本体のズームレバー（不図示）を操作することで、撮像画角が望遠側と広角側との間の所定の画角に定まる。
【００１８】
移動筒１０の先端部（被写体側）の外周面には、全周に亘って同一径の溝部１１が設けられると共に、フィルタアダプタ２０を移動筒１０に着脱可能とするためのバヨネット受部１２が、周方向に略等間隔で複数箇所に設けられている。本実施形態では、バヨネット受部１２は、略９０°（略１／４周）の間隔で設けており、よって、２箇所に設けられている。
【００１９】
フィルタアダプタ２０の先端部（被写体側）の内周面には、レンズフィルタ３０を装着するための雌ねじ部２１が設けられている。一方、レンズフィルタ３０の外周面には、雄ねじ部３１が設けられており、雌ねじ部２１と雄ねじ部３１とを螺合させることにより、フィルタアダプタ２０に対してレンズフィルタ３０が装着される。なお、フィルタアダプタ２０の雌ねじ部２１に螺合する雄ねじ部３１を有するレンズフィルタ３０であれば、レンズフィルタの種類（例えば、光学特性の違いによる種類）は問わない。また、フィルタアダプタ２０には雌ねじ部２１の代わりに雄ねじ部を設け、レンズフィルタ３０には雄ねじ部３１の代わりに雌ねじ部を設けてもよい。
【００２０】
フィルタアダプタ２０の先端側（移動筒１０に取り付けられた状態での被写体側）の外周面には、周方向に略等間隔で複数箇所（本実施形態では２箇所）に第１のフランジ部２４が設けられている。第１のフランジ部２４の略中央部には、レンズ鏡筒への撮像画角外からの光を遮るレンズフード４０をフィルタアダプタ２０に装着するためのバヨネット凸部２５が設けられている。また、フィルタアダプタ２０の外周面には、第１のフランジ部２４とは光軸方向において異なる位置に、略全周に亘る第２のフランジ部２６が設けられている。更に、フィルタアダプタ２０の基端側（移動筒１０側）の内周面には、周方向に略等間隔で第３のフランジ部２２が複数箇所（具体的には、バヨネット受部１２と対応するように２箇所）に設けられている。それぞれの第３のフランジ部２２には、移動筒１０に設けられたバヨネット受部１２とバヨネット係合するバヨネット部２３ａ，２３ｂが設けられている。
【００２１】
レンズフード４０は、撮影光路外の光線を適切に遮断するための花弁形部を有する。レンズフード４０の基端部（移動筒１０側）の内周面には、周方向に略等間隔で第１のフランジ部４１が複数箇所（本実施形態では２箇所）に設けられている。第１のフランジ部４１の略中央部には、フィルタアダプタ２０のバヨネット凸部２５とバヨネット係合する第１のバヨネット凹部４２が設けられている。また、レンズフード４０には、光軸方向において異なる位置に、第１のフランジ部４１と位相を略９０°ずらして、周方向に略等間隔で第２のフランジ部４３が複数箇所（本実施形態では２箇所）に設けられている。第２のフランジ部４３の略中央部には、フィルタアダプタ２０のバヨネット凸部２５とバヨネット係合する第２のバヨネット凹部４４が設けられている。
【００２２】
次に、移動筒１０に対して、フィルタアダプタ２０を装着する手順について、図３及び図４を参照して説明する。
【００２３】
図３（ａ）は、移動筒１０に対してフィルタアダプタ２０をバヨネット係合させる際の組み付け位相（組み付け開始状態）を示す断面図である。図３（ｂ）は、移動筒１０に対してフィルタアダプタ２０をバヨネット係合させる組み付け途中の状態を示す断面図である。図４（ａ）は、移動筒１０に対するフィルタアダプタ２０のバヨネット係合が完了した状態を示す断面図である。図４（ｂ）は、移動筒１０とフィルタアダプタ２０とがバヨネット係合している状態をスラスト方向の嵌合状態で示した部分断面図である。なお、図３（ａ），（ｂ）及び図４（ａ）には、光軸と直交する断面において、フィルタアダプタ２０と移動筒１０のバヨネット係合にかかわる部分のみを示している。
【００２４】
上述の通り、移動筒１０の先端部には、バヨネット受部１２が周方向に略等間隔で複数箇所に設けられている。また、これらのバヨネット受部１２に対応させて、フィルタアダプタ２０の基端部の内周面には、周方向に略等間隔で複数箇所に第３のフランジ部２２が設けられている。ここで、バヨネット部２３ａの内接円直径を“φＤ１”、バヨネット部２３ｂの内接円直径φを“Ｄ２”、バヨネット受部１２の直径を“φＤ３”とすると、“φＤ２＜φＤ１＜φＤ３”の関係が成り立っている。そして、バヨネット部２３ａの内接円直径φＤ１とバヨネット受部１２の直径φＤ３との寸法関係は、バヨネット係合の際にバヨネット部２３ａがバヨネット受部１２に乗り上げてラジアル方向にチャージする径設定（嵌め合い設定）となっている。一方、バヨネット部２３ｂの内接円直径φＤ２とバヨネット受部１２の直径φＤ３との寸法関係は、バヨネット部２３ｂがバヨネット受部１２に乗り上げることができないように設定されている。そのため、フィルタアダプタ２０は、移動筒１０に対して光軸を中心とした回転方向のうちの一方向のみの回転によるバヨネット係合で組み付けが可能である。
【００２５】
移動筒１０に対してフィルタアダプタ２０を組み付ける際には、先ず、図３（ａ）に示すように、移動筒１０のバヨネット受部１２とフィルタアダプタ２０の第３のフランジ部２２の位相を９０°ずらした組み込み位相で当接させる。その状態から、フィルタアダプタ２０を移動筒１０に対して光軸回りの矢印ＣＷ方向（時計回り方向）に回転させると、フィルタアダプタ２０は、図３（ｂ）に示すように、バヨネット部２３ａがバヨネット受部１２に乗り上げてラジアル方向にチャージする状態を維持しながら回転する。このとき、バヨネット部２３ｂは、バヨネット受部１２に乗り上げることができないため、光軸回りの矢印ＣＣＷ方向ではバヨネット係合することができない。
【００２６】
図３（ａ）に示す状態からフィルタアダプタ２０を略９０°回転させ終わると、バヨネット部２３ａがバヨネット受部１２を乗り越えて図４（ａ）に示す状態となって、フィルタアダプタ２０の移動筒１０に対する組み付けが完了する。この状態から更にフィルタアダプタ２０を矢印ＣＷ方向に回転させようとしても、バヨネット部２３ｂがバヨネット受部１２に乗り上げることができないため、これ以上の回転は規制される。なお、フィルタアダプタ２０を移動筒１０から取り外す際には、逆の手順で、即ち、フィルタアダプタ２０を移動筒１０に対して矢印ＣＣＷ方向に回転させればよい。本実施形態では、フィルタアダプタ２０の移動筒１０に対する組み付けを矢印ＣＷ方向、取り外しを矢印ＣＣＷ方向としたが、これらの回転方向は逆であってもよい。
【００２７】
図４（ｂ）に示すように、フィルタアダプタ２０を移動筒１０に対して矢印ＣＷ方向に回転させてバヨネット係合が完了するまでの間では、フィルタアダプタ２０の第３のフランジ部２２が移動筒１０に形成された溝部１１にインロー状に嵌合しているため、フィルタアダプタ２０のスラスト方向での動きが規制される。よって、フィルタアダプタ２０を移動筒１０に組み付ける際に、フィルタアダプタ２０が移動筒１０から外れてしまうことやガタつきが発生することを抑制することができる。
【００２８】
次に、レンズフード４０をフィルタアダプタ２０にバヨネット係合で装着する手順について、図５及び図６を参照して説明する。
【００２９】
図５（ａ）は、フィルタアダプタ２０に対してレンズフード４０をバヨネット係合させる際の組み付け位相を示す断面図であり、図５（ｂ）は、図５（ａ）中の矢視Ａ−Ａの断面図である。図６（ａ）は、フィルタアダプタ２０に対するレンズフード４０のバヨネット係合が完了した状態での組み付け位相を示す断面図であり、図６（ｂ）は、図６（ａ）中の矢視Ｂ−Ｂの断面図である。なお、図５（ａ）及び図６（ａ）には、光軸と直交する断面において、フィルタアダプタ２０とレンズフード４０のバヨネット係合にかかわる部分のみを示している。
【００３０】
上述の通り、フィルタアダプタ２０の先端部の外周面には、周方向に略等間隔で第１のフランジ部２４が複数箇所に設けられている。また、これらの第１のフランジ部２４に対応させて、レンズフード４０の基端部の内周面には、周方向に略等間隔で第１のフランジ部４１が複数箇所に設けられている。
【００３１】
フィルタアダプタ２０に対してレンズフード４０を組み付ける際には、フィルタアダプタ２０の第１のフランジ部２４とレンズフード４０の第１のフランジ部４１の位相を９０°ずらした組み込み位相で当接させる。このとき、フィルタアダプタ２０のバヨネット凸部２５とレンズフード４０の第１のバヨネット凹部４２とは、位相が９０°ずれた状態となっている。
【００３２】
図５に示す状態からレンズフード４０を略９０°回転させると、図６に示すように、レンズフード４０の第１のバヨネット凹部４２がフィルタアダプタ２０のバヨネット凸部２５を乗り越えてスラスト方向にお互いが嵌合する。こうして、レンズフード４０のフィルタアダプタ２０に対するバヨネット係合が完了する。なお、レンズフード４０は、フィルタアダプタ２０に対して、図５に示す矢印ＣＷ方向と矢印ＣＣＷ方向の両方向に回転させることができ、取り付けと取り外しの際の回転方向（着脱方向）は問われない。
【００３３】
図７は、レンズフード４０の花弁形部（先端側）がカメラ本体側を向くようにフィルタアダプタ２０に装着された状態を示す斜視図である。
【００３４】
レンズフード４０の花弁形部をカメラ本体側に向けた状態で、フィルタアダプタ２０の第１のフランジ部２４とレンズフード４０の第２のフランジ部４３を、位相を９０°ずらして当接させる。このとき、フィルタアダプタ２０のバヨネット凸部２５とレンズフード４０の第２のバヨネット凹部４４とは、位相が９０°ずれた状態となっている。
【００３５】
この状態からレンズフード４０を略９０°回転させると、レンズフード４０の第２のバヨネット凹部４４がフィルタアダプタ２０のバヨネット凸部２５を乗り越えてスラスト方向にお互いが嵌合して、図７に示す状態でレンズフード４０が保持される。こうして、レンズフード４０を使用しないときには、嵩張らせずにレンズ鏡筒に保持させることができるため、携行性を高めることができる。
【００３６】
レンズフード４０を図１に示した使用状態としたままでコンパクトデジタルカメラを持ち歩く等すると、予期せずレンズフード４０を堅い物にぶつけてしまった場合等に、花弁形部やバヨネット嵌合部等が壊れてしまうおそれがある。これに対して、図７に示すレンズフード４０の収納状態とすることで、予期しないレンズフード４０の破損を防止することができる。
【００３７】
ところで、移動筒１０に対してフィルタアダプタ２０とレンズフード４０とが同時装着されている状態から、レンズフード４０のみを取り外したいときがある。このときに、本実施形態では、意図せずしてフィルタアダプタ２０が移動筒１０から外れてしまうことを防止する工夫が、フィルタアダプタ２０とレンズフード４０とのバヨネット係合に施されており、以下にその構成について説明する。
【００３８】
上述の通り、フィルタアダプタ２０と移動筒１０とのバヨネット係合における両部品間の嵌合方向はラジアル方向に設定されており、レンズフード４０とフィルタアダプタ２０のバヨネット係合における両部品間の嵌合方向はスラスト方向に設定されている。フィルタアダプタ２０とレンズフード４０とが同時に装着されている状態からレンズフード４０のみを取り外す場合、レンズフード４０を内径方向に抑えつけるようにレンズフード４０の基端部を把持してフィルタアダプタ２０に対するバヨネット係合を解除する。
【００３９】
ここで、仮に、レンズフードがフィルタアダプタに対してラジアル方向で嵌合するようにバヨネット係合している場合には、レンズフードを取り外すためにレンズフードの基端部を把持すると、バヨネット係合の嵌合力を更に強める方向に力を加えてしまう。そのため、レンズフードのバヨネット嵌合部に不要な力が加わってしまい、レンズフード４０のみを容易に取り外すことができずに、フィルタアダプタも同時に外れてしまうことがある。これに対して、本実施形態では、レンズフード４０とフィルタアダプタ２０のバヨネット係合の嵌合方向がスラスト方向に設定されている。そのため、レンズフード４０を着脱するためにレンズフード４０の基端部を把持してもレンズフード４０のバヨネット嵌合部の嵌合方向であるスラスト方向には余計な力が加わらないため、嵌合力が強まることはない。よって、移動筒１０にフィルタアダプタ２０が装着されたままで、レンズフード４０のみを容易に取り外すことができる。
【００４０】
これに加えて、レンズフード４０とフィルタアダプタ２０のバヨネット係合における嵌合トルクは、フィルタアダプタ２０と移動筒１０のバヨネット係合における嵌合トルクよりも小さく設定されている。そのため、フィルタアダプタ２０とレンズフード４０が同時に装着されている状態からレンズフード４０のみを取り外す場合に、フィルタアダプタ２０が意図せずして外れてしまうことを防止することができる。
【００４１】
また、レンズフード４０とフィルタアダプタ２０とのバヨネット係合における嵌合トルクとフィルタアダプタ２０と移動筒１０とのバヨネット係合における嵌合トルクの大きさの関係が経年変化や摩耗等によって逆転することが考えられる。しかし、この場合でも、レンズフード４０の取り付け／取り外しを常に、図５に示す矢印ＣＷ方向での回転によって行えば、フィルタアダプタ２０が移動筒１０から外れることはない。
【００４２】
以上の説明の通り、本実施形態によれば、移動筒１０に対するフィルタアダプタ２０とレンズフード４０との同時装着が可能であり、同時装着されている状態からレンズフード４０のみを取り外す場合に、レンズフード４０のみを容易に取り外すことができる。また、バヨネット嵌合により移動筒１０にフィルタアダプタ２０とレンズフード４０とを取り付けているため、レンズフード４０が花弁形であっても、花弁形部を一義的に適切な位置に配置させることができる。更に、レンズフード４０を使用しないときには、レンズフード４０をその先端側を撮像装置（一眼レフデジタルカメラ等）の本体側へ向けてフィルタアダプタ２０を介してレンズ鏡筒に保持させることができるため、携行性を高めることができる。
【００４３】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、フィルタアダプタ２０やレンズフード４０の材質、寸法、形態、数、配置箇所等は、本発明の要旨を逸脱しない範囲において、適宜、変更が可能である。一例を挙げれば、フィルタアダプタ２０のバヨネット凸部２５を第２のフランジ部２６に配設し、レンズフード４０の第１のバヨネット凹部４２を第１のフランジ部４１の被写体側に、第２のバヨネット凹部４４を第２のフランジ部４３のカメラ本体側にそれぞれ配設する。このような構成であっても、レンズフード４０をフィルタアダプタ２０に対してバヨネット係合させることができる。
【符号の説明】
【００４４】
１０    移動筒
１２    バヨネット受部
２０    フィルタアダプタ
２２    （フィルタアダプタの）第３のフランジ部
２３ａ，２３ｂ    バヨネット部
２４    （フィルタアダプタの）第１のフランジ部
２５    バヨネット凸部
２６    （フィルタアダプタの）第２のフランジ部
３０    レンズフィルタ
４０    レンズフード
４１    （レンズフードの）第１のフランジ部
４２    第１のバヨネット凹部
４３    （レンズフードの）第２のフランジ部
４４    第２のバヨネット凹部
【図１】
2016122043.tif 000003
【図２】
2016122043.tif 000004
【図３】
2016122043.tif 000005
【図４】
2016122043.tif 000006
【図５】
2016122043.tif 000007
【図６】
2016122043.tif 000008
【図７】
2016122043.tif 000009